(57)【要約】【課題】  大きな反りを生じたケーシングに対しても蓋体を容易に装着することができる樹脂ケースを提供すること。【解決手段】  矩形状の開口部１３を有する箱状のケーシング１０と、ケーシング１０の開口部１３に装着される蓋体２０とを有する樹脂ケース１において、蓋体２０はケーシング１０の開口部１３を覆う覆部２１と、覆部２１の下面縁近傍から垂下されケーシング１０の開口部１３に嵌合される板状の垂下部２２とを有し、垂下部２２は下端部を凹状に切り欠いた反り矯正部２３を有し、反り矯正部２３は垂下部２２の両側部２２ａ、２２ａから中央部に向かう斜辺２３ａを有してなる。【選択図】  図１
2006335451.tif 000002
【特許請求の範囲】
【請求項１】
矩形状の開口部を有する箱状のケーシングと、該ケーシングの開口部に装着される蓋体とを有する樹脂ケースにおいて、
上記蓋体は上記ケーシングの開口部を覆う覆部と、該覆部の下面縁近傍から垂下され上記ケーシングの開口部に嵌合される板状の垂下部とを有し、該垂下部は下端部を凹状に切り欠いた反り矯正部を有し、該反り矯正部は上記垂下部の両側部から中央部に向かう斜辺を有してなることを特徴とする樹脂ケース。
【請求項２】
上記覆部は一辺が上記ケーシングの側壁上端部に回転自在に取り付けられると共に、上記ケーシングに取り付けられた辺と対向する辺の縁近傍に上記垂下部が設けられることを特徴とする請求項１記載の樹脂ケース。
【請求項３】
上記垂下部はその側端部から上記覆部の下面縁に沿って延出して垂下部と共に上記ケーシングの開口部に嵌合される挿入部を有し、該挿入部は上記垂下部の側端部近傍に上記反り矯正部よりも下方に突出した突出片を有してなることを特徴とする請求項１または２記載の樹脂ケース。
【請求項４】
上記反り矯正部の下辺は曲線状に形成されてなることを特徴とする請求項１〜３のいずれか１項に記載の樹脂ケース。
【発明の詳細な説明】
【技術分野】
【０００１】
本発明は、射出成型により形成された樹脂ケースに関し、特に容易に蓋体をケーシングに装着可能な樹脂ケースに関する。
【背景技術】
【０００２】
従来、リモートコントローラ或いはタイヤ空気圧モニタリングシステムの通信装置等電子機器を収容するケースには、生産性や軽量化、機能性の向上による形状自由度の観点から、熱可塑性の樹脂材が使用されている。このような樹脂ケースとしては例えば図４に示すように矩形状の開口部３３を有するケーシング３１と、ケーシング３１の開口部３３に装着される蓋体３２とから構成されるものがある。蓋体３２はケーシング３１の開口部３３を覆う覆部３４の下面縁近傍に垂下部３５を設けた構成とし、開口部３３に垂下部３５を嵌挿することによってケーシング３１に覆部３４を被せた状態とする。
【０００３】
一般に、熱可塑性樹脂製の成形品を製造する方法として、キャビティが設けられた金型を使用し、金型のキャビティ内に溶融された樹脂を射出、充填して冷却、固化させる射出成形法が用いられている。図５にケーシングを形成する金型の断面図を示す。
【０００４】
図５に示すように、金型４０は固定側型板４２と可動側型板４３とから構成されており、これら両型板から形成されるキャビティ４１にゲート４４から高温度に溶融された樹脂の射出注入が行われる。一定時間冷却後、可動側型板４３は成形品と共に固定側型板４２から引き離され、成形品は図示を省略した突き出し装置により可動側型板４３から離型させることによって取り出される。
【発明の開示】
【発明が解決しようとする課題】
【０００５】
ところで、このような箱形状のケーシングにおいては、放熱面となる表面積は外側が内側に比べて広く、よって、内側は固化が遅れて大きく収縮する、あるいは、ガラス繊維等を充填した場合は繊維方向と直交する方向となる厚さ方向において収縮しやすいが端部の側壁に繋がった部分においては収縮しにくい、などの理由で、側壁は内側に倒れるように変形する。なお、この際、側壁がその直交する面と近接している場合は側壁が支えられるので変形が小さくなるため、図６に示すように短手方向の側壁の変形量は少なく長手方向で蓋体３２に繋がっていない側の側壁の中央部付近は大きく変形し、一方蓋体３２は浅底であり変形量は少ないことから垂下部３５を開口部３３に挿入することができないことがある。
【０００６】
これを解決する方法としては、桟等によって補強することや、特許文献１のように肉盗みを設けて反り量を抑えることが考えられるが、前者の場合には金型の形成が複雑になり又内部に電子機器を収納するスペースが減ってしまうという問題があり、後者の場合には金型の形成が複雑となり、又十分な強度を得ることが難しいという問題がある。
【特許文献１】特許３１９７１８９号公報
【０００７】
本発明は、上記課題を鑑みてなされたものであり、反りを生じたケーシングに対しても蓋体を容易に装着することができる樹脂ケースを提供することを目的とする。
【課題を解決するための手段】
【０００８】
上記課題を解決するため、本発明に係る樹脂ケースは、矩形状の開口部を有する箱状のケーシングと、該ケーシングの開口部に装着される蓋体とを有する樹脂ケースにおいて、
上記蓋体は上記ケーシングの開口部を覆う覆部と、該覆部の下面縁近傍から垂下され上記ケーシングの開口部に嵌合される板状の垂下部とを有し、該垂下部は下端部を凹状に切り欠いた反り矯正部を有し、該反り矯正部は上記垂下部の両側部から中央部に向かう斜辺を有してなることを特徴として構成されている。
【０００９】
また、本発明に係る樹脂ケースは、上記覆部は一辺が上記ケーシングの側壁上端部に回転自在に取り付けられると共に、上記ケーシングに取り付けられた辺と対向する辺の縁近傍に上記垂下部が設けられることを特徴として構成されている。
【００１０】
さらに、本発明に係る樹脂ケースは、上記垂下部はその側端部から上記覆部の下面縁に沿って延出して垂下部と共に上記ケーシングの開口部に嵌合される挿入部を有し、該挿入部は上記垂下部の側端部近傍に上記反り矯正部よりも下方に突出した突出片を有してなることを特徴として構成されている。
【００１１】
さらにまた、本発明に係る樹脂ケースは、上記反り矯正部の下辺は曲線状に形成されてなることを特徴として構成されている。
【発明の効果】
【００１２】
本発明に係る樹脂ケースによれば、垂下部は下端部を凹状に切り欠いた反り矯正部を有し、反り矯正部は垂下部の両側部から中央部に向かう斜辺を有してなることにより、ケーシングの側壁の反りを反りの小さい角部近傍から中央部にかけて順次矯正しながら垂下部を開口部に挿入することができるので、大きな反りを生じたケーシングに対しても容易に蓋体を装着することができる。
【００１３】
また、本発明に係る樹脂ケースによれば、覆部は一辺がケーシングの側壁上端部に回転自在に取り付けられると共に、ケーシングに取り付けられた辺と対向する辺の縁近傍に垂下部が設けられることにより、覆部の回転に伴いケーシングの側壁の反りが反り矯正部により角部近傍から順に矯正され、垂下部を挿入することができるので、確実に蓋体をケーシングに装着することができる。
【００１４】
さらに、本発明に係る樹脂ケースによれば、垂下部はその側端部から覆部の下面縁に沿って延出して垂下部と共にケーシングの開口部に嵌合される挿入部を有し、挿入部は垂下部の側端部近傍に反り矯正部よりも下方に突出した突出片を有してなることにより、側壁の反りによる側壁角部の位置変動を修正することができ、反り矯正部の左右両端部を確実にケーシングの開口部に挿入することができる。
【００１５】
さらにまた、本発明に係る樹脂ケースによれば、反り矯正部の下辺は曲線状に形成されてなることにより、側壁の角部から中央にかけて滑らかに反りを矯正することができるので、容易に垂下部を開口部に挿入することができる。
【発明を実施するための最良の形態】
【００１６】
本発明の実施形態について図面に沿って詳細に説明する。図１は本実施形態における樹脂ケース１の斜視図である。本実施形態における樹脂ケース１は射出成形によって形成されたものであり、矩形状の開口部１３を有して内部に電子機器等を収容可能な深底のケーシング１０と、ケーシング１０の開口部１３に装着される浅底の蓋体２０とから構成される。
【００１７】
ケーシング１０は熱可塑性の樹脂材を射出成形することで形成され、各側壁１１と底部１２とから上部に開口部１３を有した箱状に形成される。本実施形態では、ケーシング１０と蓋体２０はヒンジ（図示しない）を介して連結されている。蓋体２０はケーシング１０の側壁１１上端部に回転自在に取り付けられ、蓋体２０の回転により蓋体２０をケーシング１０に被せることができる。また、ケーシング１０の側壁１１には、後述する蓋体２０の垂下部２２に設けられた係合部２５に係合する係合孔１５が形成される。
【００１８】
蓋体２０は、ケーシング１０の開口部１３を覆う板状の覆部２１と、覆部２１の下面に形成される垂下部２２とから構成される。垂下部２２はケーシング１０と連結された覆部２１の一辺と対向する辺の縁近傍に設けられる。垂下部２２は覆部２１の下面から略鉛直下方に垂下された板状に形成され、垂下部２２をケーシング１０の開口部１３に挿入し嵌合することによって、覆部２１をケーシング１０の開口部１３に被せた状態とすることができる。
【００１９】
また、垂下部２２の外面には、ケーシング１０の側壁１１に形成された係合孔１５の位置に対応して係合部２５が形成されている。係合部２５は、垂下部２２がケーシング１０の開口部１３に嵌合した状態で、側壁１１の係合孔１５に係合するので、蓋体２０の装着状態を保つことができる。
【００２０】
図１に示すように、垂下部２２の下端部には反り矯正部２３が形成される。反り矯正部２３は垂下部２２の下端部を凹状に切り欠くことで形成され、垂下部２２の両側部２２ａ、２２ａから中央部までを斜辺２３ａとしたものである。また、反り矯正部２３の斜辺２３ａは曲線状に形成されており、垂下部２２の側部２２ａには内向傾斜状の斜面が形成される。ケーシング１０は上述のように射出成形により形成されるため、図１に示すように、樹脂の収縮の影響を受けて側壁１１は反りを生じ、開口部１３側の上端の長手方向の中央部においては、支えとして機能するこの側壁１１と直交する面から離間していることもあって、基準位置に対して大きく内側に入り込んでいる。
【００２１】
また、垂下部２２は側端部２４から覆部２１の下面縁に沿って延出した挿入部２６を有している。挿入部２６は垂下部２２と共にケーシング１０の開口部１３に嵌合される。また、挿入部２６は、側端部２４近傍に垂下部２２の反り矯正部２３よりも下方に突出し、その外側に面取りを施した突出片２７を有している。このため、覆部２１を回転させると、垂下部２２の側部２２ａよりも先に挿入部２６の突出片２７がケーシング１０の開口部１３に挿入されることになる。なお、垂下部２２は底板となる覆部２１からの高さが低いので殆ど基準位置から変形していない。
【００２２】
垂下部２２に対応するケーシング１０の側壁１１は、成形時に樹脂の収縮の影響を受けて反りを生じ、側壁１１の角部１４の位置がこの反りにより内側に動いてしまう。このため、垂下部２２をケーシング１０の開口部１３に挿入するとき、側部２２ａと角部１４とが衝突するおそれがある。挿入部２６に突出片２７を設けることにより、突出片２７が垂下部２１の側部２２ａよりも先に開口部１３に挿入され、側壁１１角部１４の位置を矯正することができる。これにより、より確実に垂下部２２をケーシング１０の開口部１３に挿入することができる。
【００２３】
挿入部２６に対応するケーシング１０の側壁１１は短尺であり強度が高いので、成形時に樹脂の収縮の影響をあまり受けず、大きな反りは生じず、よって突出片２７の外側に面取りを設けることで挿入可能とすることができるが、ここにも大きな反りを生じる場合には、挿入部２６の下端部にも反り矯正部を設けるとよい。
【００２４】
次に、蓋体２０の装着について説明する。図２及び図３はケーシング１０に対し蓋体２０を装着する過程を示したものであり、図２は正面図、図３は図２各図のＡ−Ａ断面図である。図２（ａ）は、垂下部２２の下端部まで開口部１３を挿入した状態を示している。図３（ａ）に示すように、挿入部２６が開口部１３に挿入されて側壁１１角部１４の位置が矯正される。
【００２５】
図２（ｂ）は反り矯正部２３の垂下部２２の両側部２２ａ、２２ａ近傍が挿入された状態を示している。図３（ｂ）に示すように蓋体２０をケーシング１０に被せるために覆部２１を回転させると、まず、反りの小さい側壁１１角部１４近傍に垂下部２２の側部２２ａが挿入される。側壁１１角部１４近傍に側部２２ａが挿入されると、反り矯正部２３によりこの角部１４近傍よりも中央部側の反りが一部矯正されることになる。
【００２６】
反り矯正部２３は側部２２ａから中央部までを斜辺２３ａとしているので、覆部２１を回転させて垂下部２２をさらに押し下げると、図２（ｃ）及び図３（ｃ）に示すように、側壁１１角部１４近傍から中央部にかけて側壁１１の反りを順次矯正しながら挿入される。このため、側壁１１に反りが生じたケーシング１０に対しても垂下部２２を開口部１３に挿入することができる。
【００２７】
このように、反り矯正部２３が側壁１１角部１４近傍から中央部にかけて反りを矯正しながらケーシング１０内に挿入されることによって、垂下部２２をケーシング１０内に納めることができる。すなわち、反りが大きく、側壁１１の端面が蓋体２０の垂下部２２の端面よりも更に内側に位置し、よって面取りを設けるだけでは挿入できないような場合であっても、順次反りを矯正していって垂下部２２をケーシング１０内に納めることができる。そして、図２（ｄ）及び図３（ｄ）に示すように、垂下部２２の係合部２５が側壁１１の係合孔１５と係合することによって、蓋体２０の装着が完了する。
【００２８】
また、反り矯正部２３は斜辺を曲線状に形成されているので、反り矯正部２３を滑らかにケーシング１０の側壁１１に沿って挿入することができ、引っ掛り等を生じることがない。また、垂下部２２の側部２２ａを内向傾斜状に形成することで、ケーシング１０の側壁１１角部１４付近の反りが大きい場合でも、容易に側部２２ａを挿入することができる。
【００２９】
以上、本発明の実施形態について説明したが、本発明の適用はこの実施形態には限られず、その技術的思想の範囲内において様々に適用されうるものである。
【図面の簡単な説明】
【００３０】
【図１】本実施形態における樹脂ケースの斜視図である。
【図２】蓋体をケーシングに装着する過程（ａ〜ｄ）を示した正面図である。
【図３】図２各図におけるＡ−Ａ断面図である。
【図４】従来の樹脂ケースの斜視図である。
【図５】ケーシングを形成する金型の断面図である。
【図６】図４のケーシングを蓋体を開いた状態で開口部側からみた平面図である。
【符号の説明】
【００３１】
１    樹脂ケース
１０    ケーシング
１１    側壁
１２    底部
１３    開口部
１４    角部
１５    係合孔
２０    蓋体
２１    覆部
２２    垂下部
２２ａ  側部
２３    反り矯正部
２３ａ  斜辺
２４    側端部
２５    係合部
２６    挿入部
２７    突出片
【図１】
2006335451.tif 000003
【図２】
2006335451.tif 000004
【図３】
2006335451.tif 000005
【図４】
2006335451.tif 000006
【図５】
2006335451.tif 000007
【図６】
2006335451.tif 000008